(57)【要約】      （修正有）【課題】トンネル内の消火器箱に上から手を入れて消火器を引き出す場合に誤って安全栓を抜いてしまう不具合を未然に防止可能とする。【解決手段】消火器５０は、容器本体５２に弁部を備えた上部金具５６が固定され、上部金具５６には持ち運び用の固定レバー５８の上側に弁部を開栓させる操作レバー６０が設けられ、操作レバー６０には安全栓６２が設けられ、安全栓６２を引き抜いて操作レバー６０を押し下げることにより、ホース６６のノズル６８から消火薬剤が放出される。消火器５０の安全栓６２及び操作レバー６０の周囲を覆う位置には保護カバー７２Ａが配置され、消火器５０を上から引き上げる際に、安全栓６２を引き抜いてしまうことを防止する。消火器５０の使用時には、保護カバー７２Ａを手前に回動させることで、安全栓６２及び操作レバー６０を露出させて操作可能とする。【選択図】図５
2018069018.tif 000002
【特許請求の範囲】
【請求項１】
消火薬剤が充填された容器本体の上部に弁部を備えた上部金具が固定され、前記上部金具には持ち運び用の固定レバーの上側に前記弁部を開栓させる操作レバーが設けられると共に、前記操作レバーにはレバーの動きを抑止する安全栓が設けられ、使用時に前記安全栓を引き抜いて前記操作レバーを押し下げることにより、前記弁部を開栓してノズル付きホースから前記消火薬剤を放出させる消火器に於いて、
通常時は前記安全栓及び前記操作レバーの周囲を覆う位置に配置され、使用時には前記安全栓及び前記操作レバーを露出させて操作可能とする位置に移動自在な保護カバーが設けられたことを特徴とする消火器。
【請求項２】
請求項１記載の消火器に於いて、
前記消火器は前記上部金具の側方に指示圧力計が設けられ、
前記保護カバーは、前記安全栓及び前記操作レバーの上側及び両側を覆うと共に前後及び下側に開放された薄板の箱形部材であり、
前記箱形部材の一方の側面に前記指示圧力計に側方から嵌め入れて前記箱形部材を前後方向に回動させる取付穴が形成されたことを特徴とする消火器。
【請求項３】
請求項１記載の消火器に於いて、
前記保護カバーは、前記安全栓及び前記操作レバーの上側及び両側を覆うと共に前後及び下側に開放された薄板の箱形部材であり、
前記箱形部材における下部前方側の両側面に、前記消火器上部の前記ホースの付け根と前記容器本体との間の隙間に嵌め込まれて前記箱形部材を前後方向に回動させる嵌合軸部が形成されたことを特徴とする消火器。
【請求項４】
請求項２又は３記載の消火器に於いて、前記保護カバーは通常時の配置位置で、前記箱形部材の両側面下端を前記固定レバーの下側を露出させる位置としたことを特徴とする消火器。
【請求項５】
請求項１記載の消火器に於いて、前記保護カバーは透明部材で形成されたことを特徴とする消火器。
【請求項６】
消火薬剤が充填された容器本体の上部に弁部を備えた上部金具が固定され、前記上部金具には持ち運び用の固定レバーの上側に前記弁部を開栓させる操作レバーが設けられると共に、前記操作レバーにはレバーの動きを抑止する安全栓が設けられ、使用時に前記安全栓を引き抜きいて前記操作レバーを押し下げることにより、前記弁部を開栓してノズル付きホースから前記消火薬剤を放出させる消火器に装着される保護カバーに於いて、
通常時は前記安全栓及び前記操作レバーの周囲を覆う位置に配置され、使用時には前記安全栓及び前記操作レバーを露出させて操作可能とする位置に移動自在なカバー形状を備えたことを特徴とする消火器保護カバー。
【請求項７】
請求項６記載の消火器保護カバーに於いて、
前記カバー形状は、前記安全栓及び前記操作レバーの上側及び両側を覆う共に前後及び下側に開放された薄板の箱型カバー形状であり、
前記箱型カバー形状の一方の側面に前記消火器の前記上部金具に設けられた指示圧力計に側方から嵌め入れて前後方向に回動させる取付穴が形成されたことを特徴とする消火器保護カバー。
【請求項８】
請求項６記載の消火器保護カバーに於いて、
前記カバー形状は、前記安全栓及び前記操作レバーの上側及び両側を覆う共に前後及び下側に開放された薄板の箱型カバー形状であり、
前記箱型カバー形状における下部前方側の両側面に、前記消火器上部の前記ホースの付け根と前記容器との間の隙間に嵌め込まれて前後方向に回動させる嵌合軸部が形成されたことを特徴とする消火器保護カバー。
【請求項９】
請求項７又は８記載の消火器保護カバーに於いて、前記箱型カバー形状は通常時の配置位置で、両側面下端を前記固定レバーの下側を露出させる位置としたことを特徴とする消火器保護カバー。
【請求項１０】
消火器の操作レバーに設けられたリング状の安全栓に着脱自在に装着される消火器保護カバーに於いて、
前記消火器の安全栓が嵌め込み収納される底面に開口して形成された安全栓収納部を備えたケース本体と、
前記ケース本体を着脱自在に前記消火器側に保持させるケース保持部と、
により構成されたことを特徴とする消火器保護カバー。
【請求項１１】
請求項１０記載の消火器保護カバーに於いて、
前記ケース本体は円筒体又は箱体であり、前記安全栓収納部は前記円筒体の内部に底面に開口する空間として形成されたことを特徴とする消火器保護カバー。
【請求項１２】
請求項１０又は１１記載の消火器保護カバーに於いて、前記ケース本体の前記安全栓収納部は底面から側面に開口する空間として形成されたことを特徴とする消火器保護カバー。
【請求項１３】
請求項１０記載の消火器保護カバーに於いて、前記ケース保持部は、前記ケース本体の他方の側面の底部側から延在され、磁石が組み込まれたアーム部としたことを特徴とする消火器保護カバー。
【請求項１４】
請求項６又は１０記載の消火器保護カバーに於いて、透明部材で形成されたことを特徴とする消火器保護カバー。
【発明の詳細な説明】
【技術分野】
【０００１】
本発明は、消火器収納箱の上部開口から取り出して使用する消火器及び消火器保護カバーに関する。
【背景技術】
【０００２】
従来、高速道路や自動車専用道などのトンネルには、トンネル内で発生する火災事故から人身及び車両を守るため、非常用設備が設置されている。
【０００３】
このような非常用設備としては、火災の監視と通報のため火災検知器、手動通報装置及び非常電話が設けられ、また火災の消火や延焼防止のために消火栓装置及び消火器箱が設けられ、更にトンネル躯体を火災から防護するために水噴霧ヘッドから消火用水を散水させる水噴霧設備などが設置され、非常用設備の設備機器を監視センターに設けられた防災受信盤からの伝送回線に接続して監視制御されている。
【０００４】
例えば消火栓装置は、トンネル内に設けた監視員通路に面した側壁に沿って５０メートル間隔で設置され、開放自在な消火栓扉を備えた筐体に、先端にノズルを装着したホースとバルブ類が収納されている。
【０００５】
また、消火器箱は、消火栓装置と一体に設けられるか、あるいは消火器箱単独で設けられ、トンネル内に設けた監視員通路に面した側壁に沿って例えば５０メートル間隔で設置されている。
【０００６】
監視員通路は路面に対し１メートル程度高くした側壁通路として設けられており、トンネル内の車両通行を妨げることなく且つ安全にトンネル内に設置している消火器箱を含む各種の機器の点検を行うことを可能としている。
【０００７】
火災を伴う車両事故が発生した場合には、事故車両の運転者等の利用者は、消火器箱の消火器扉を開いて消火器を取出して消火作業を行うことができる。
【先行技術文献】
【特許文献】
【０００８】
【特許文献１】特開２００８−０５５０２４号公報
【特許文献２】特開２００９−２８５１２６号公報
【特許文献３】特開２０１４−８３３４４号公報
【発明の概要】
【発明が解決しようとする課題】
【０００９】
しかしながら、このような従来のトンネル内に設置された消火器箱にあっては、監視員通路に面したトンネル側壁に沿って設置されていたため、車両事故の発生時に利用者は、路面から監視員通路のトンネル側壁に設置している消火器箱に手を伸ばして消火器扉を開き、消火器を取り出して消火作業を行う必要があり、消火器箱が路面から離れた高い位置に設置されているため、人によっては手が届かずに監視員通路に上がって消火器を取り出さなければならない場合もあった。
【００１０】
この問題を解決するためには、消火器箱を監視員通路の内部に埋込設置し、消火器箱の監視員通路面に開閉自在な上扉を設けると共に、道路面側となる消火器箱の前面に開閉により道路側へ飛び出すことのない例えばスライド式の前扉を設け、監視員通路側及び道路面側から消火器の取出しを可能にする消火器箱が考えられている。
【００１１】
ところで、このように監視員通路及び道路面側から消火器を取り出すように設けた消火器箱にあっては、監視員通路側から消火器を取り出す場合、消火器箱の上扉を開くこととで消火器の取出し口が上面に開口した構造となるため、消火器箱に収納している消火器に上から手を入れて引き上げる必要がある。
【００１２】
消火器は容器本体の上部に固定レバーと操作レバーが設けられ、操作レバーにはリング状の安全栓が取り付けられることでロックされており、消火器を持ち運ぶ際には固定レバーの下に手を入れて持ち運び、消火器を使用する際にはリング状の安全栓に指を入れて引き抜くことでロックを外し、操作レバーを押し下げることで弁が開栓して消火剤をノズル付きホースから放出するようにしている。
【００１３】
このためトンネル内消火器箱に上から手を入れて消火器を取り出そうとする場合、火災といった緊迫した状況であり、また、トンネル内の照明では内部が見えづらいことから、消火器上部に設けられているリング状の安全栓を持って取り出そうとすることが想定され、消火器を使用する前に誤って安全栓を抜いてしまい、その後にハンドルをもって消火器を取り出す際にハンドルを操作してしまうという不具合が起きる可能性が高い。
【００１４】
本発明は、トンネル内の消火器箱に上から手を入れて消火器を引き出す場合に誤って安全栓を抜いてしまう不具合を未然に防止可能とする消火器及び消火器保護カバーを提供することを目的とする。
【課題を解決するための手段】
【００１５】
（消火器）
本発明は、消火薬剤が充填された容器本体の上部に弁部を備えた上部金具が固定され、上部金具には持ち運び用の固定レバーとその上側に弁部を開栓させる操作レバーが設けられると共に、操作レバーにはレバーの動きをロックする安全栓が設けられ、使用時に安全栓の引き抜きによりロックを解除して操作レバーを押し下げることにより、弁部を開栓してノズル付きホースから消火薬剤を放出させる消火器に於いて、
通常時は安全栓及び操作レバーの周囲を覆う位置に配置され、使用時には安全栓及び操作レバーを露出させて操作可能とする位置に移動自在な保護カバーが設けられたことを特徴とする。なお、「移動自在な保護カバー」には、保護カバーが安全栓及び操作レバーから外れることを含む。
【００１６】
（消火器の指示圧力計に嵌め入れる保護カバー回動構造）
消火器は上部金具の側方に指示圧力計が設けられ、
保護カバーは、安全栓及び操作レバーの上側及び両側を覆うと共に前後及び下側に開放された薄板の箱形部材であり、
箱形部材の一方の側面に指示圧力計に側方から嵌め入れて箱形部材を前後方向に回動させる取付穴が形成される。
【００１７】
（指示圧力計を持たない消火器の保護カバー回動構造）
保護カバーは、安全栓及び操作レバーの上側及び両側を覆うと共に前後及び下側に開放された薄板の箱形部材であり、
箱形部材における下部前方側の両側面に、消火器上部のホースの付け根と容器本体との間の隙間に嵌め込まれて箱形部材を前後方向に回動させる嵌合軸部が形成される。
【００１８】
（保護カバー下端で固定レバーを露出させた構造）
保護カバーは通常時の配置位置で、箱形部材の両側面下端を固定レバーの下側を露出させる位置としている。
【００１９】
（透明保護カバー）
保護カバーは透明部材で形成される。
【００２０】
（消火器保護カバー１）
本発明の別の形態にあっては、消火薬剤が充填された容器本体の上部に弁部を備えた上部金具が固定され、上部金具には持ち運び用の固定レバーとその上側に弁部を開栓させる操作レバーが設けられると共に、操作レバーにはレバーの動きをロックする安全栓が設けられ、使用時に安全栓の引き抜きによりロックを解除して操作レバーを押し下げることにより、弁部を開栓してノズル付きホースから消火薬剤を放出させる消火器に装着される消火器保護カバーに於いて、
通常時は安全栓及び操作レバーの周囲を覆う位置に配置され、使用時には安全栓及び操作レバーを露出させて操作可能とする位置に移動自在なカバー形状を備えたことを特徴とする。
【００２１】
（消火器の指示圧力計に嵌め入れる保護カバー回動構造）
カバー形状は、安全栓及び操作レバーの上側及び両側を覆うと共に前後及び下側に開放された薄板の箱型カバー形状であり、
箱型カバー形状の一方の側面に消火器の上部金具に設けられた指示圧力計に側方から嵌め入れて前後方向に回動させる取付穴が形成される。
【００２２】
（指示圧力計を持たない消火器の保護カバー回動構造）
カバー形状は、消火器の安全栓及び操作レバーの上側及び両側を覆うと共に前後及び下側に開放された薄板の箱型カバー形状であり、
箱型カバー形状における下部前方側の両側面に、消火器上部のホースの付け根と容器本体との間の隙間に嵌め込まれて前後方向に回動させる嵌合軸部が形成される。
【００２３】
（保護カバー下端で固定レバーを露出させた構造）
箱型カバー形状は通常時の配置位置で、両側面下端を固定レバーの下側を露出させる位置とする。
【００２４】
（消火器保護カバー２）
本発明の他の形態にあっては、消火器の操作レバーに設けられたリング状の安全栓に着脱自在に装着される消火器保護カバーに於いて、
消火器の安全栓が嵌め込み収納される底面に開口して形成された安全栓収納部を備えたケース本体と、
ケース本体を着脱自在に消火器側に保持させるケース保持部と、
により構成されたことを特徴とする。
【００２５】
（ケース本体）
ケース本体は円筒体又は箱体であり、安全栓収納部は円筒体の内部に底面に開口する空間として形成される。
【００２６】
（安全栓収納部）
ケース本体の安全栓収納部は底面から側面に開口する空間として形成される。
【００２７】
（磁石による保持）
ケース保持部は、ケース本体の他方の側面の底部側から延在され、磁石が組み込まれたアーム部とする。
【００２８】
（透明保護カバー）
消火器保護カバーは、透明部材で形成される。
【発明の効果】
【００２９】
（消火器及び消火器保護カバー１の効果）
本発明は、消火薬剤が充填された容器本体の上部に弁部を備えた上部金具が固定され、上部金具には持ち運び用の固定レバーとその上側に弁部を開栓させる操作レバーが設けられると共に、操作レバーにはレバーの動きをロックする安全栓が設けられ、使用時に安全栓の引き抜きによりロックを解除して操作レバーを押し下げることにより、弁部を開栓してノズル付きホースから消火薬剤を放出させる消火器に於いて、通常時は安全栓及び操作レバーの周囲を覆う位置に配置され、使用時には安全栓及び操作レバーを露出させて操作可能とする位置に移動自在な保護カバーが設けられたため、トンネル内の消火器箱に収納された消火器を上から手を入れて取り出す場合に、消火器上部に設けられているリング状の安全栓は保護カバーの装着により覆われていることから、リング状の安全栓を持って引き上げるような取り扱いが確実に防止され、保護カバーの下側に露出している固定カバーに手を入れて引き上げる操作が必然的に行われることとなり、安全栓を誤って引き抜いてしまうことなく、消火栓を取り出して消火作業を行うことを可能とする。
【００３０】
（消火器の指示圧力計に嵌め入れる保護カバー回動構造による効果）
また、消火器は上部金具の側方に指示圧力計が設けられ、保護カバーは、安全栓及び操作レバーの上側及び両側を覆うと共に前後及び下側に開放された薄板の箱形部材であり、箱形部材の一方の側面に指示圧力計に側方から嵌め入れて箱形部材を前後方向に回動させる取付穴が形成されるようにしたため、カバーは薄板金属の加工や合成樹脂の射出成型などにより簡単かつ用意に製造することが可能であり、また、消火栓を使用する場合には、後方に飛び出している操作レバーの方向とは反対側となる前方に保護カバーを回動するだけで、消火器上部の安全栓及び操作レバーが露出され、保護カバーに妨げられることなく、安全栓を引き抜いてロックを解除した状態で操作レバーを押し下げることで、消火薬剤を放出させることができる。
【００３１】
（指示圧力計を持たない消火器の保護カバー回動構造による効果）
また、保護カバーは、安全栓及び操作レバーの上側及び両側を覆うと共に前後及び下側に開放された薄板の箱型カバー形状であり、箱型カバー形状における下部前方側の両側面に、消火器上部のホースの付け根と容器本体との間の隙間に嵌め込まれて前後方向に回動させる嵌合軸部が形成されるようにしたため、指示圧力計を持たない消火器であっても、保護カバーを消火器上部に回動自在に装着可能とする。
【００３２】
（保護カバー下端で固定レバーを露出させた構造の効果）
また、保護カバーは通常時の配置位置で、箱形部材の両側面下端を固定レバーの下側を露出させる位置としているため、トンネル内消火器箱の上から保護カバーの下に手を入れて引き上げる際に、必ず持ち運び用の固定レバーの下に手を入れて持ち上げることになり、安全栓を引き抜いたり、操作ハンドルを操作することなく、消火栓を確実に取り出して消火作業を行うことを可能とする。
【００３３】
また、消火器を引き上げる際に、持ち運び用の固定レバーに消火器を持ち上げる力の略全てが加わるため、保護カバー及び保護カバーに接触する消火器本体の所定局所に加わる力を略ない状態にできるため、保護カバー及び消火器の破損を防ぐことが可能となる。
【００３４】
（消火器保護カバー２の効果）
本発明の他の形態にあっては、消火器の操作レバーに設けられたリング状の安全栓に着脱自在に装着される消火器保護カバーに於いて、消火器の安全栓が嵌め込み収納される底面に開口して形成された安全栓収納部を備えたケース本体と、ケース本体を着脱自在に消火器側に保持させるケース保持部とにより構成されたため、消火器の操作レバーに設けられているリング状の安全栓に、消火器保護カバーのケース本体に形成された安全栓収納部を被せてアーム部の磁石により吸着保持させることで、簡単且つ容易に消火器に装着することができ、トンネル内の消火器箱に収納された消火器を上から手を入れて取り出す場合に、消火器上部に設けられているリング状の安全栓は消火器保護カバーの装着により覆われていることから、リング状の安全栓を持って引き上げるような取り扱いが確実に防止され、消火器保護カバーの下側に露出している固定カバーに手を入れて引き上げる操作が必然的に行われることとなり、安全栓を誤って引き抜いてしまうことなく、消火栓を取り出して消火作業を行うことを可能とする。
【００３５】
また、消火器を使用する場合には、消火器保護カバーはケース保持部により着脱自在に保持されていることから、簡単に取り外して安全栓を抜き、操作レバーを押し下げてノズル付きホースから消火薬剤を放出させることができる。
【００３６】
更に、安全栓から取り外した消火器保護カバーは、消火器の操作を妨げない任意の位置にケース保持部により保持させておくことで、消火器から脱落することなく、再利用が可能となる。
【００３７】
（円筒ケース本体の効果）
また、ケース本体は円筒体又は箱体であり、安全栓収納部は前記円筒体の内部に底面に開口する空間として形成されたため、円筒体であることからケース本体が持ち易くなり、消火器の安全栓に対する消火器保護カバーの取付けと消火器使用時の取外しが簡単且つ容易にできる。
【００３８】
（安全栓収納部の効果）
また、ケース本体の安全栓収納部は底面から側面に開口する空間として形成されたため、消火器の安全栓に対する消火器保護カバーの着脱が容易にできる。
【００３９】
（磁石による保持）
ケース保持部は、ケース本体の他方の側面の底部側から延在され、磁石が組み込まれたアーム部としたため、消火器を使用する場合には、消火器保護カバーは磁石による吸着で保持されていることから、簡単に取り外して安全栓を抜き、操作レバーを押し下げてノズル付きホースから消火薬剤を放出させることができる。
【００４０】
更に、安全栓から取り外した消火器保護カバーは、消火器の操作を妨げない任意の位置に磁石により吸着させておくことで、消火器から脱落することなく、再利用が可能となる。
【００４１】
（透明保護カバーによる効果）
また、保護カバーは透明部材で形成されたため、消火器に保護カバーを装着していても、消火器保護カバー１の場合は、カバー内にある安全栓、操作レバー及び固定レバーを外部から確認でき、また、消火器保護カバー２の場合は、カバー内にある安全栓を外部から確認でき、またもアーム部に組み込まれている磁石もわかることで、安全栓から消火器保護カバーを取り外した場合の消火器の別の場所への吸着保持も簡単に行える。
【図面の簡単な説明】
【００４２】
【図１】シールドトンネル内に設置した消火器箱を含むトンネル非常用設備を示した説明図
【図２】消火器箱の外観を消火栓収納箱と共に示した図
【図３】上扉を前開きし前扉をスライド落下して開放させた消火器箱を示した説明図
【図４】上扉を後開きした消火器箱を示した説明図
【図５】保護カバーを装着した消火器の実施形態を示した説明図
【図６】図５の保護カバーを取り出して示した説明図
【図７】保護カバーを外した使用状態の消火器を示した説明図
【図８】指示圧力計を持たない消火器に保護カバーを装着した実施形態を示した説明図
【図９】図８の保護カバーを取り出して示した説明図
【図１０】ケース本体を円筒体とした消火器保護カバーの他の実施形態を示した説明図
【図１１】図１０の消火器保護カバーを装着した消火器を示した説明図
【図１２】ケース本体を薄い箱型とした消火器保護カバーの他の実施形態を示した説明図
【図１３】図１２の消火器保護カバーを装着した消火器を示した説明図
【発明を実施するための形態】
【００４３】
［トンネル非常用設備の概要］
図１は自動車専用道路のトンネル内に設置された消火器箱を含むトンネル非常用設備を示した説明図である。図１に示すように、シールド工法により構築されたトンネル１０内は円筒形のトンネル壁面１２により覆われ、床版１７により仕切られることで道路１５が設けられており、この例にあっては、道路１５は１方向２車線としている。
【００４４】
床版１７で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００４５】
道路１５が形成された床版１７の下側はトンネル横方向に複数の区画に仕切られており、例えば、監視員通路１４の下に位置する区画は、管理用通路２３として使用され、また、管理用通路２３はトンネル内での火災発生時には、緊急避難通路として使用される。管理用通路２３には給水本管２４が敷設されている。
【００４６】
トンネル１０の長手方向の５０メートルおきには、消火栓設備１６が設置され、消火栓設備１６はホースが収納された消火栓収納箱１８と例えば２本の消火器を収納した消火器箱２０が配置され、消火栓収納箱１８に対し放水制御機構収納部２５が管理用通路２３に分離して設置されている。
【００４７】
消火器箱２０及び消火栓収納箱１８は、監視員通路１４の路面及び道路１５側の壁面にかけて箱形に刳り貫かれた消火栓埋込部に配置されている。なお、消火器箱２０は消火栓収納箱１８から分離して配置される場合もあるが、以下の説明は、消火栓収納箱１８と一体に設けた場合を例にとっている。
【００４８】
［消火栓設備］
（消火栓収納箱の外観構造）
図２は消火器箱を消火栓収納箱と共に示した説明図、図３は上扉を前開きして前扉をスライド落下して開放させた消火器箱を示した説明図、図４は上扉を後開きした消火器箱を示した説明図である。なお、図３では、筐体内に設けられる、後の説明で明らかにする消火器取出し構造の図示は省略している。
【００４９】
図２に示すように、消火器箱２０は、監視員通路１４の路面下の内部空間に埋込み設置されている。消火器箱２０は、筐体３１の前面中央に前扉３０が設けられ、前扉３０は、下側に固定扉３５が配置され、その上に２枚のスライド扉３６ａ，３６ｂが上下方向にスライド開閉自在に配置されている。
【００５０】
また、消火器箱２０の監視員通路１４の路面側となる上面には、前扉３０と同じ横幅の上扉３２が配置されている。上扉３２は、図３に示す前開きと、図４に示す後開きができる。
【００５１】
ここで、上扉３２で示す前開きとは、図３に示すように、上扉３２の奥行側の後縁部を軸として上向き回りに開閉されることを意味し、また、上扉３２の後開きとは、図４に示すように、上扉３２の手前の前縁部を軸として上向き回りに開閉されることを意味する。
【００５２】
図２に示すように、通常状態では、前扉３０の最上部のスライド扉３６ａは閉鎖状態にある上扉３２により閉鎖状態に係止されており、利用者が道路１５側から操作する場合には、前開きハンドル３４を開操作すると、上扉３２に対するスライド扉３６ａの係止が解除され、図３に示すように、スライド扉３６ａ，３６ｂは自重により固定扉３５の裏側に落下して消火器箱２０の前面扉開口を開放させ、また、上扉３２を前開きすることで、消火器箱２０の上面扉開口を開放させる。
【００５３】
前扉３０の開放は、固定扉３５の裏側に２枚のスライド扉３６ａ，３６ｂが落下して開放されるため、固定扉３５及びスライド扉３６ａ，３６ｂの高さを同じとすると、前扉３０の上側の２／３が開放されることとなり、前扉３０の開口領域を大きくすることで、筐体３１内に収納している消火器５０の道路１５側からの取出しをより行い易くしている。消火器５０の上部のハンドル部分には、後の説明で明らかにされる保護カバー７２Ａが装着されている。
【００５４】
なお、本実施形態では、前扉３０を固定扉３５と２枚のスライド扉３６ａ，３６の合計３枚の扉により３分割しているが、分割数を更に増やすことで、前扉３０を開放した場合の開口領域を更に大きくして、筐体３１内に収納している消火器の道路１５側からの取出しをより行い易くできる。
【００５５】
また、利用者が監視員通路１４側から消火器を取り出す場合には、後開きハンドル３８を開操作すると、図４に示すように、筐体３１に対する上扉３２の係止が解除され、上扉３２を後開きすることで、消火器箱２０の上面扉開口を開放させ、ここから手を入れて消火器を取り出すことができる。
【００５６】
また、図２に示すように、消火器箱２０の前面右側には通報装置パネル４２が設けられる。通報装置パネル４２には、赤色表示灯４４、発信機４５、電話ジャック４６及び応答ランプ４８が設けられている。赤色表示灯４４は常時点灯し、消火栓設備の設置場所が遠方から分かるようにしている。火災時には、発信機４５を押して押し釦スイッチをオンすると、発信信号が監視室の火災受信機に送信されて火災警報が出され、これに伴い応答信号が火災受信機から送られて、応答ランプ４８が点灯され、更に、赤色表示灯４４が点滅される。
【００５７】
なお、本実施形態は、消火栓収納箱１８の片側に消火器収納箱２０を配置して２本の消火器を収納しているが、消火栓収納箱１８の両側に消火器収納箱を配置し、それぞれ１本ずつ消火器を収納する配置構造としても良い。
【００５８】
［消火器］
図５は保護カバーを装着した消火器の実施形態を示した説明図であり、図５（Ａ）に側面を示し、図５（Ｂ）に正面を示し、図５（Ｃ）に平面を示す。また、図６は図５の保護カバーを取出して示した説明図であり、図６（Ａ）に側面を示し、図６（Ｂ）に正面を示し、図６（Ｃ）に斜視を示す。更に、図７は保護カバーを外した使用状態の消火器を示した説明図であり、図７（Ａ）に側面を示し、図７（Ｂ）に正面を示す。
【００５９】
（消火器の構成）
図５に示すように、消火器５０は容器本体５２の内部に粉末消火剤を充填すると共に加圧用ガス容器を収納しており、容器本体５２の上部にはキャップ５４により上部金具５６が固定されている。
【００６０】
上部金具５６には固定レバー５８が設けられ、固定レバー５８の上に操作レバー６０が回動自在に設けられている。また、上部金具５６の前方にはホース６６が連結されており、ホース先端にはノズル６８が装着され、容器本体５２の下側に取り付けられたノズルホルダ７０に着脱自在に保持されている。
【００６１】
操作レバー６０の上にはリング状の取っ手を備えた安全栓６２が嵌め込まれ、操作レバー６０が動かないにようにロックしている。また、上部金具５６の片側には指示圧力計６４が取り付けられ、容器本体５２内に収納されている加圧用ガス容器の圧力を表示させている。
【００６２】
固定レバー５８はレバー下側に手を入れて消火器を持ち運ぶために使用される。操作レバー６０は安全栓６２を引き抜いてロックを解除させた状態で、固定レバー５８に対し操作レバー６０を手で握って押し下げると、上部金具５６の内部に設けられた弁部が開栓され、本体容器５２内に収納されている加圧用ガス容器に充填されているガスを容器内に放出され、粉末消火薬剤を加圧ガスによりで拡販させながらホース６６を介してノズル６８から放出させるようにしている。
【００６３】
［消火器の保護カバーの実施形態］
図５に示すように、消火器５０の上部には保護カバー７２Ａが装着され、図２に示した消火器箱２０に収納された状態で、消火器５０の上部に設けられた安全栓６２、操作レバー６０及び固定レバー５８の上部及び両側を覆い、消火器箱２０に収納されている消火器５０に上方から手を入れて引き上げることで取り出す場合に、安全栓６２や操作レバー６０を持って引き上げようとする操作を防止し、保護カバー７２Ａがあることで、保護カバー７２Ａの両側下端が位置する固定レバー５８の下側に手を入れて持ち上げる操作を作り出している。
【００６４】
図６に示すように、本実施形態の保護カバー７２Ａは、上壁７４の両側に側壁７６，７８を一体に形成し、前後方向及び下側に開放された薄板の箱形部材であり、側壁７６の前方下側の張出し部８０に、図５に示した消火器５０の指示圧力計６４に側方から嵌め入れる取付穴８２を形成している。側壁７６，７８にはカバーを開く方向を示す矢印７７が表示されている。
【００６５】
保護カバー７２Ａは金属板または合成樹脂により作られており、軽量であることから、取り扱いが容易で、操作性を損なうこともない。また、保護カバー７２Ａを合成樹脂製とした場合には、透明な合成樹脂を使用することで、図５のように消火器５０に取り付けた場合に、内部の安全栓６２、操作レバー６０及び固定レバー５８が外部から見えるようにすることが望ましい。
【００６６】
図６に示す構造の保護カバー７２Ａは、側壁７６の前方下側の張出し部８０に形成された取付穴８２を、図５に示す消火器５０の指示圧力計６４に外側から通すことで消火器５０の上部に取り付けられ、安全栓６２、操作レバー６０及び固定レバー５８の上部及び両側を覆って取り付けられる。また、指示圧力計６４に対する保護カバー７２Ａの取付穴８２の嵌め込みにより、保護カバー７２Ａは消火器３２の前方に回動自在に取り付けられる。
【００６７】
また、上壁７４はホース外径よりも幅広の所定長さの切欠き部７５を前方の端面から備えている。切欠き部７５の所定長さは、保護カバー７２Ａの前方の端面が容器本体へ接触する程度までホース側の向きへ回動させたとき、ホース根本部の高さに相当する所まで切欠き部７５が存在するように設定することが望ましい。これにより、ホースの動きが保護カバー７２Ａにより規制されること・ホースの動きで保護カバー７２Ａが閉鎖方向に動き作業の邪魔になることを防ぐことが出来る。
【００６８】
また、保護カバー７２Ａの側壁７６，７８の下端は、図５（Ａ）に示すように、消火器５０の上部に取り付けられた状態で、固定レバー５８の下側が露出した状態となるように、下端の位置が決められている。このため消火器箱の上部かに手を入れて消火器５０を取り出す場合には、保護カバー７２Ａが装着されていることで、必ず固定レバー５８の下側に手を入れて持ち上げる操作となり、安全栓６２や操作レバー６０を持って持ち上げるような操作を確実に防止可能とする。
【００６９】
また、保護カバー７２Ａには保護カバーの使用方法が記載されている。使用方法の記載内容は、上壁に「あける」の文字表記及び又は側面部に開放方向へ回動させる向きの矢印が望ましい。上記のような記載があることにより、緊急時においても直感的に操作ができるようになる。なお、直観的な操作を妨げない記載であれば、上記記載内容に限らない。
【００７０】
また、保護カバー７２Ａにおける取付け穴８２が形成された張出し部８０に取付穴８２に至る切欠をいれることで、図５に示した消火器５０の指示圧力計６４に対する保護カバー７２Ａの着脱を容易に行うことができる。
【００７１】
（消火器の使用）
消火器箱から図５に示した保護カバー７２Ａが取り付けられた消火器５０を取り出して使用する場合には、図７に示すように、保護カバー７２Ａを取付穴８２を中心に前方に回動させることで、安全栓６２、操作レバー６０及び固定レバー５８を露出させ、安全栓６２を引き抜いて操作レバー６０のロックを解除し、ノズル６８をノズルホルダ７０から外して火元に向け、この状態で操作レバー６０と固定レバー５８を手で握って操作レバー６０を押し下げると、上部金具５６内の弁部が開栓し、ノズル６８から粉末消火剤が放出される。
【００７２】
このように消火器５０の使用時に保護カバー７２Ａを前方に回動させているが、これは操作レバー６０の操作方向とは逆方向となるため、操作レバー６０を操作する場合に保護カバー７２Ａが邪魔になることがない。
【００７３】
また、消火器５０を使用する場合に、保護カバー７２Ａが消火器５０から脱落しないため、路面に保護カバー７２Ａが散乱するようなこともない。
【００７４】
［指示圧力計のない消火器保護カバーの実施形態］
図８は指示圧力計を持たない消火器に保護カバーを装着した場合の第２実施形態を示した説明図であり、図８（Ａ）は通常時の側面を示し、図８（Ｂ）は通常時の正面を示し、図８（Ｃ）は使用時の側面を示す。また、図９ は図８の保護カバーを取り出して示した説明図であり、図９（Ａ）に正面を示し、図９（Ｂ）に側面を示し、図９（Ｃ）に斜視を示す。
【００７５】
図９に示すように、本実施形態の消火器５０は指示圧力計を備えておらず、このため図６に示した構造の保護カバー７２Ｂを使用することができない。そこで本実施形態にあっては、図９に示す構造の保護カバー７２Ｂを使用している。
【００７６】
図９に示すように、本実施形態の保護カバー７２Ｂは、側壁７６，７８の前方下部に張出し部８４，８６が一体に形成され、張出し部８４，８６に外側から内側に向けて押し出し成形された底付き円筒状の嵌合軸部８８，９０が形成されている。ここで、側壁７６，７８及び張出し部８４，８６の横幅はキャップ５４の径より大きくしている。また、側壁７６，７８にはカバーを開く方向を示す矢印７７が表示されている。
【００７７】
また、張出し部８４、８６の後方内側には保護カバーが前方に抜け落ちることを防止する凸部が設けても良い。保護カバー７２Ｂが前方に移動する際、凸部がキャップ５４と当接することにより保護カバー７２Ｂの抜け落ちを防止する。凸部は両側の側面内側に設けられ、凸部間の間隔はキャップの直径よりも狭く、安全船・操作レバー・固定レバーいずれの横幅よりも広いことが望ましい。これにより、保護時における保護カバーの前方への抜け落ちを防止しつつ、動作時の保護カバー７２Ｂの回動を妨げることはない。また、使用時に保護カバー７２Ｂが邪魔になるような場合においては、回動後、前方に引き抜くことが出来る。この場合、意図的に保護カバー７２Ｂを外すため、道路に散乱することなく、所定の邪魔にならない場所に置くことが出来る。
【００７８】
嵌合軸部８８，９０は、図８（Ａ）（Ｂ）に示すように、消火器５０の上部のホース６６の付け根側と容器本体５２との隙間に嵌め入れられ、消火器５０を使用する場合には、図８（Ｃ）に示すように、保護カバー７２Ｂを嵌合軸部８８，９０を中心に前方に回動させることで、安全栓６２、操作レバー６０及び固定レバー５８を露出させることができる。それ以外の構成及び機能は図１乃至図７に示したと同じになる。
【００７９】
［ケース本体を円筒体とした消火器保護カバーの実施形態］
図１０はケース本体を円筒体とした消火器保護カバーの他の実施形態を示した説明図であり、図１０（Ａ）は斜視を示し、図１０（Ｂ）は正面を示し、図１０（Ｃ）は断面を示し、図１０（Ｄ）は平面を示し、図１０（Ｅ）は底面を示す。
【００８０】
図１０に示すように、本実施形態の保護カバー７２Ｃは、円筒ケース本体９２とアーム部９６で構成され、透明樹脂を用いて射出成型等により作られている。円筒ケース本体９２は円筒体であり、円筒体の内部に底面から側面に開口する箱型空間として安全栓収納部９４が仕切り形成されている。
【００８１】
アーム部９６は、円筒ケース本体９２の安全栓収納部９４が開口した反対側の側面の底部側から延在されており、アーム部９６には底面に開口した段付き穴として磁石収納部９８が形成され、ここに磁石９８が組込み配置されている。磁石９８が収納されたアーム部９６は、保護カバー７２Ｃを消火器に着脱自在に保持するケース保持部として機能する。
【００８２】
図１１は図１０の消火器保護カバーを装着した消火器を示した説明図であり、図１１（Ａ）は消火器保護カバーを取り付けた状態を示し、図１１（Ｂ）は消火器保護カバーを取り外した状態を示す。
【００８３】
図１１（Ａ）に示すように、図１０に示した保護カバー７２Ｃは、消火器５０に設けられた操作レバー６０に装着しているリング状の安全栓６２に、円筒ケース本体９２に形成された安全栓収納部９４を上から被せて操作レバー６０に乗せるように装着され、円筒ケース本体９２から延在したアーム部９６に収納している磁石１００が操作レバー６０の上面に吸着して保護カバー７２Ｃが保持されている。
【００８４】
このため、図３又は図４に示したように、消火器箱に手を入れて消火器５０を取り出す場合には、安全栓６２に保護カバー７２Ｃが装着されていることで、安全栓６２に指を入れて消火器５０を持ち上げるような操作は抑止され、固定レバー５８の下側に手を入れて持ち上げる操作となり、誤って安全栓６２を抜いてしまうような操作を確実に防止可能とする。
【００８５】
また、消火器箱から取り出した消火器５０を使用する場合には、図１１（Ｂ）に示すように、安全栓６２に装着している保護ケース７２Ｃを前方に倒すようにして取外すことで安全栓６２を露出させ、安全栓６２を引き抜いて操作レバー６０のロックを解除し、固定レバー５８と操作レバー６０を握って操作レバー６０を押し下げることで弁部を開栓し、ノズル付きのホース６６から消火薬剤を放出させることができる。
【００８６】
この場合、保護カバー７２Ｃは磁石１００により操作レバー６０の上に吸着保持されているに過ぎないことから、簡単に取り外して安全栓６２を露出させることができる。また、取り外した保護カバー７２Ｃは、例えば、操作レバー６０の先端側に磁石１００により吸着保持させておくことで、保護カバー７２Ｃが落下することなく、消火器５０に残っており、使用済みの消火器５０を新品に交換する際に、保護カバー７２Ｃの再利用を可能とする。なお、保護カバー７２Ｃを紐により消火器５０に連結しておき、安全栓６２から保護カバー７２Ｃを取り外した場合に、落下紛失しないようにしても良い。
【００８７】
［ケース本体を円筒体とした消火器保護カバーの実施形態］
図１２はケース本体を薄い箱型とした消火器保護カバーの他の実施形態を示した説明図であり、図１２（Ａ）は斜視を示し、図１２（Ｂ）は正面を示し、図１２（Ｃ）は側面を示し、図１２（Ｄ）は断面を示す。
【００８８】
図１２に示すように、本実施形態の保護カバー７２Ｄは、箱型ケース本体１０２とアーム部１０６で構成され、透明樹脂を用いて射出成型等により作られている。箱型ケース本体１０２は薄い箱体であり、箱体の内部に底面から側面に開口する箱型空間として安全栓収納部１０４が形成されている。
【００８９】
アーム部１０６は、箱型ケース本体１０２の安全栓収納部１０４が開口した反対側の側面の底部側から延在されており、アーム部１０６には底面に開口した段付き穴として磁石収納部１０８が形成され、ここに磁石１１０が組込み配置されている。磁石１１０が収納されたアーム部１０６は、保護カバー７２Ｄを消火器に着脱自在に保持するケース保持部として機能する。
【００９０】
図１３は図１２の消火器保護カバーを装着した消火器を示した説明図であり、図１３（Ａ）は消火器保護カバーを取り付けた状態を示し、図１３（Ｂ）は消火器保護カバーを取り外した状態を示す。
【００９１】
図１３（Ａ）に示すように、図１２に示した保護カバー７２Ｄは、消火器５０に設けられた操作レバー６０に装着しているリング状の安全栓６２に、箱型ケース本体１０２に形成された安全栓収納部１０４を上から被せて操作レバー６０に乗せるように装着され、箱型ケース本体１０２から延在したアーム部１０６に収納している磁石１１０が操作レバー６０の上面に吸着して保護カバー７２Ｄが保持されている。
【００９２】
このため、図３又は図４に示したように、消火器箱に手を入れて消火器５０を取り出す場合には、安全栓６２に保護カバー７２Ｄが装着されていることで、安全栓６２に指を入れて消火器５０を持ち上げるような操作は抑止され、固定レバー５８の下側に手を入れて持ち上げる操作となり、誤って安全栓６２を抜いてしまうような操作を確実に防止可能とする。
【００９３】
また、消火器箱から取り出した消火器５０を使用する場合には、図１３（Ｂ）に示すように、安全栓６２に装着している保護ケース７２Ｄを前方に倒すようにして取外すことで安全栓６２を露出させ、安全栓６２を引き抜いて操作レバー６０のロックを解除し、固定レバー５８と操作レバー６０を握って操作レバー６０を押し下げることで弁部を開栓し、ノズル付きのホース６６から消火薬剤を放出させることができる。
【００９４】
この場合、保護カバー７２Ｄは磁石１１０により操作レバー６０の上に吸着保持されているに過ぎないことから、簡単に取り外して安全栓６２を露出させることができる。また、取り外した保護カバー７２Ｄは、例えば、操作レバー６０の先端側に磁石１１０により吸着保持させておくことで、保護カバー７２Ｄが落下することなく、消火器５０に残っており、使用済みの消火器５０を新品に交換する際に、保護カバー７２Ｄの再利用を可能とする。
【００９５】
なお、保護カバー７２Ｄについても、紐により消火器５０に連結しておくことで、安全栓６２から保護カバー７２Ｄを取り外した場合に落下紛失しないようにしても良い。
【００９６】
更に、本実施形態の保護カバー７２Ｄは、薄い箱型の箱型ケース本体１０２としていることから、図１０に示した円筒ケース本体９２を持つ保護カバー７２Ｃに比べてコンパクトとなり、消火器５０に対する保護カバー７２Ｄの取付けと取外しが簡単且つ容易に行うことを可能とする。
【００９７】
なお、図１０の実施形態では円筒ケース本体９２に設けた安全収納部９４をケース本体の底面から側面に開口する空間として形成しているが、側面には開口せず、底面のみに開口した空間としても良い。この場合には、消火器の安全栓に対し消火器保護カバー７２Ｃは上下方向に移動して着脱させることになる。
【００９８】
この点は図１２の実施形態についても同様であり、箱型ケース本体１０２に設けた安全収納部１０４をケース本体の底面から側面に開口する空間として形成しているが、側面には開口せず、底面のみに開口した空間としても良い。
【００９９】
また図１０又は図１２の実施形態でケース保持部として機能するアーム部９６，１０６には磁石９８，１０８を設けて磁気吸着により消火器側に着脱自在に保持しているが、磁石に限定されず、例えば吸盤や紐を用いて消火器側に着脱自在に保持してもよい。
【０１００】
［本発明の変形例］
上記の実施形態は、保護カバー上壁に切欠き部を設けていたが、切欠きを設けずに以下の構成としても良い。上記実施例のごとく保護カバーは操作レバー付け根近傍の上部金具軸回りに回動するものであって、保護カバーを操作レバーが露出する方向と逆回りに保護カバーを回動させるとき、保護カバーは安全弁への接触により回動が規制され操作レバーへ接触しないようにしても良い。これにより、保護カバーを操作レバーが露出する方向と逆回りに保護カバーを回動させる力が加わったときでも、安全弁はより閉まる方向の力が加わり、また操作レバーに対して操作方向への力が加わることを規制できる。よって持ち上げ時の誤動作をより一層防止することができる。なお、保護カバー上壁の切欠き部を設けることと上記内容はトレードオフの関係にあるが、両方を同時に達成できる構造があれば、それを排除しない。
【０１０１】
上記の実施形態は、保護カバーは軸回りに回動することで安全栓と操作レバーを操作可能としているが、保護カバーは消火器に対して上からかぶせられているだけで、容易に上方向に引き抜くことのできるものとしても良い。これにより、消火作業時には保護カバーの制約なしに消火作業が可能となる。
【０１０２】
上記の実施形態は、トンネル内に設置される消火器箱の上部から取り出される消火器に保護カバーを装着する場合を例にとっているが、これに限定されない。例えば、オフィスビル等の施設であっても、消火器を上部から取り出す構造を持つ適宜の消火器箱に使用される消火器を対象とする。
【０１０３】
また本発明は、その目的と利点を損なうことのない適宜の変形を含み、更に、上記の実施形態に示した数値による限定は受けない。
【符号の説明】
【０１０４】
１０：トンネル
１２：トンネル壁面
１４：監視員通路
１５：道路
１８：床版
２０：管理用通路
２２：ダクト
２４：給水本管
２４ａ：分岐配管
２６：消火栓収納箱
２８：制御機構収納部
３０：消火器箱
５０：消火器
５２：容器本体
５４：キャップ
５６：上部金具
５８：固定レバー
６０：操作レバー
６２：安全栓
６４：指示圧力計
６６：ホース
６８：ノズル
７０：ノズルホルダ
７２Ａ，７２Ｂ，７２Ｃ，７２Ｄ：保護カバー
７４：上壁
７５：切欠き
７６，７８：側壁
８０，８４，８６：張出し部
８２：取付穴
８８，９０：嵌合軸部
９２：円筒ケース本体
９４，１０４：安全栓収納部
９６，１０６：アーム部
９８，１０８：磁石収納部
１００，１１０：磁石
１０２：箱型ケース本体
【図１】
2018069018.tif 000003
【図２】
2018069018.tif 000004
【図３】
2018069018.tif 000005
【図４】
2018069018.tif 000006
【図５】
2018069018.tif 000007
【図６】
2018069018.tif 000008
【図７】
2018069018.tif 000009
【図８】
2018069018.tif 000010
【図９】
2018069018.tif 000011
【図１０】
2018069018.tif 000012
【図１１】
2018069018.tif 000013
【図１２】
2018069018.tif 000014
【図１３】
2018069018.tif 000015